(57)【要約】【課題】発汗による不快感を回避し得るようにした着心地の良い衣料品を提供する。【解決手段】表側を撥水性の高い素材又は撥水加工を施した素材を原料とした織物、編み物、不織布の何れかから成るドライ層１２とし、裏側を吸水性の高い極細繊維又はアクリレート系繊維を原料とした織物、編み物、不織布の何れかから成る１３とした二層構造の汗取りパッド１４を、シャツの衿２の支持部分を成す衿腰１１の内側に縫い付け、首まわりに多量の汗をかいても、その汗が直ちに吸水層１３に吸収され、表面はドライ層１２によりさらっとした状態に保持されるようにする。【選択図】図３
0003108683.tif 000002
【実用新案登録請求の範囲】
【請求項１】
衿及び袖を有する衣料品において、表側を撥水性の高い素材又は撥水加工を施した素材を原料とした織物、編み物、不織布の何れかから成るドライ層とし、裏側を吸水性の高い極細繊維又はアクリレート系繊維を原料とした織物、編み物、不織布の何れかから成る吸水層とした二層構造の汗取りパッドを衿腰の内側に縫い付けたことを特徴とする衣料品。
【請求項２】
一番目のボタン及びボタン孔の配置位置となる衿腰の長手方向両端部を除いた範囲に衿腰の芯地の幅を超えない幅で吸水層を配置したことを特徴とする請求項１に記載の衣料品。
【請求項３】
衿腰のものと同じ二層構造の汗取りパッドを腋の下にあたる部分の内側にも縫い付けたことを特徴とする請求項１又は２に記載の衣料品。
【請求項４】
腋の下の汗取りパッドを袖付け用の縫合線を境にして二分割して縫い付けたことを特徴とする請求項３に記載の衣料品。
【請求項５】
衿腰のものと同じ二層構造の汗取りパッドを袖口の内側にも縫い付けたことを特徴とする請求項１、２、３又は４に記載の衣料品。
【請求項６】
汗取りパッドの色を衣料品の生地の色に合せたことを特徴とする請求項１、２、３、４又は５に記載の衣料品。
【考案の詳細な説明】
【技術分野】
【０００１】
本考案は、シャツやポロシャツ、ブラウス等といった衿及び袖を有する衣料品に関するものである。
【背景技術】
【０００２】
一般的に、ビジネス用のシャツ等においては、外気温度の高い夏期でもネクタイを締めて衿元を閉じた状態で外出しなければならないため、シャツ内に熱が籠って不快な暑さを感じ、頭部でかいた汗が首まわりに溜まって衿腰がびっしょりと濡れてしまうことがあり、また、冬期であっても、厚着をしたまま満員電車や人ごみの中に入ると、やはり首まわりに汗が溜まって衿腰が濡れてしまうことがある。
【考案の開示】
【考案が解決しようとする課題】
【０００３】
このように衿腰が発汗により濡れてしまうと、首まわりがべたべたして不快感が生じ、それ以降のシャツの着心地が非常に悪くなるという問題があった。
【０００４】
本考案は、上述の実情に鑑みてなしたもので、発汗による不快感を回避し得るようにした着心地の良い衣料品を提供することを目的としている。
【課題を解決するための手段】
【０００５】
本考案は、衿及び袖を有する衣料品において、表側を撥水性の高い素材又は撥水加工を施した素材を原料とした織物、編み物、不織布の何れかから成るドライ層とし、裏側を吸水性の高い極細繊維又はアクリレート系繊維を原料とした織物、編み物、不織布の何れかから成る吸水層とした二層構造の汗取りパッドを衿腰の内側に縫い付けたことを特徴とするものである。
【０００６】
而して、このようにすれば、多量の汗をかいても、その汗が直ちに吸水層により吸収され、表面はドライ層によりさらっとした状態に保持されてドライ感が保持されるので、発汗による不快感が回避されて着心地の大幅な向上が図られる。
【０００７】
また、首まわりの汗が汗取りパッドの吸水層に吸収されることにより、衿腰や衿羽根の芯地への汗の吸収量が低減され、前記芯地に汗の油分が蓄積して生じる汗染み（衿元の色が水で潤んだような色になって他の部分の色と違って見える現象）が起こり難くなる。
【０００８】
尚、この汗取りパッドは、衿腰に一体的に縫い付けられているので、衣料品の着用時に不用意にずれてしまうような不具合が起こらず、しかも、衣料品を洗濯する際に一緒に洗い且つその後に衣料品と一緒に干して乾燥させることにより、繰り返し何度も使用することが可能である。
【０００９】
更に、本考案においては、汗取りパッドを衿腰の内側に縫い付けるにあたり、一番目のボタン及びボタン孔の配置位置となる衿腰の長手方向両端部を除いた範囲に衿腰の芯地の幅を超えない幅で吸水層を配置しておくことが好ましい。
【００１０】
このようにすれば、衿腰の長手方向両端部に吸水層が配置されなくなるので、一番目のボタンを縫い付けたり、ボタン孔をかがり縫いしたりする際の縫製加工が行い易くなると共に、一番目のボタンをボタン孔に留めたり外したりする行為も行い易くなり、また、吸水層の幅が衿腰の芯地の幅を超えないようになっているので、完成後の衿羽根の折り返し部分に厚みができなくなって見栄えが悪くならなくて済む。
【００１１】
また、本考案においては、衿腰のものと同じ二層構造の汗取りパッドを腋の下にあたる部分の内側にも縫い付けておくと良く、このようにすれば、発汗量の多い腋の下の汗を汗取りパッドで吸収することが可能となり、発汗時の不快感がより一層回避されて更なる着心地の向上が図られる。
【００１２】
ここで、汗取りパッドを腋の下にあたる部分の内側に縫い付けるにあたり、この汗取りパッドを袖付け用の縫合線を境にして二分割して縫い付けるようにすると良く、このようにすれば、腕を動かした時の違和感が少なくなって汗取りパッドの存在が気にならなくなる。
【００１３】
更に、本考案においては、衿腰のものと同じ二層構造の汗取りパッドを袖口の内側にも縫い付けておくと良く、このようにすれば、腕を流れ落ちる汗を袖口の汗取りパッドで吸収することが可能となり、手荷物がある場合や筆記作業を行っているような場合に袖口より下に汗が流れ落ちなくなり、発汗時に感じる不快感がより一層回避されて更なる着心地の向上が図られる。
【００１４】
また、衿腰、腋の下、袖口の何れの汗取りパッドについても、その色を衣料品の生地の色に合せておくと良く、このようにすれば、一番目のボタンを外した時や、衣料品の前をはだけた時、或いは、袖をめくり上げた時等に汗取りパッドが垣間見えても、該汗取りパッドの色が衣料品の生地の色とコーディネートされていることで見栄えが良くなる。
【考案の効果】
【００１５】
上記した本考案の衣料品によれば、下記の如き種々の優れた効果を奏し得る。
【００１６】
（Ｉ）本考案の請求項１に記載の考案によれば、首まわりに多量の汗をかいても、その汗を直ちに汗取りパッドの吸収層に吸収することができ、しかも、首周りの肌に直接触れる汗取りパッドの表面をドライ層によりさらっとした状態に保持してドライ感を保持することができるので、発汗による不快感を回避して着心地の大幅な向上を図ることができる。
【００１７】
（ＩＩ）本考案の請求項１に記載の考案によれば、発汗を汗取りパッドの吸水層に吸収することにより、衿腰や衿羽根の芯地への汗の吸収量を低減することができるので、前記芯地に汗の油分が蓄積して生じる汗染みを起こり難くすることができる。
【００１８】
（ＩＩＩ）本考案の請求項１に記載の考案によれば、汗取りパッドを衿腰に一体的に縫い付けているので、衣料品の着用時に不用意にずれてしまうような不具合を防止することができ、しかも、衣料品を洗濯する際に一緒に洗い且つその後に衣料品と一緒に干して乾燥させることで繰り返し何度も使用することができる。
【００１９】
（ＩＶ）本考案の請求項２に記載の考案によれば、一番目のボタンを縫い付けたり、ボタン孔をかがり縫いしたりする際の縫製加工や、一番目のボタンをボタン孔に留めたり外したりする行為を行い易くすることができ、しかも、完成後の衿羽根の折り返し部分に厚みができないようにして見栄えを良好に保持することができる。
【００２０】
（Ｖ）本考案の請求項３に記載の考案によれば、発汗量の多い腋の下の汗を汗取りパッドで吸収することができて発汗時の不快感をより一層回避することができ、更なる着心地の向上を図ることができる。
【００２１】
（ＶＩ）本考案の請求項４に記載の考案によれば、汗取りパッドを袖付け用の縫合線を境にして二分割して縫い付けたことにより、腕を動かした時の違和感を少なくして汗取りパッドの存在が気にならないようにすることができる。
【００２２】
（ＶＩＩ）本考案の請求項５に記載の考案によれば、腕を流れ落ちる汗を袖口の汗取りパッドで吸収することができるので、手荷物がある場合や筆記作業を行っているような場合に袖口より下に汗を流れ落とさないようにすることができ、発汗時に感じる不快感をより一層回避することができて更なる着心地の向上を図ることができる。
【００２３】
（ＶＩＩＩ）本考案の請求項６に記載の考案によれば、一番目のボタンを外した時や、衣料品の前をはだけた時、或いは、袖をめくり上げた時等に汗取りパッドが垣間見えても、該汗取りパッドの色が衣料品の生地の色とコーディネートされていることで見栄えを良好に保持することができる。
【考案を実施するための最良の形態】
【００２４】
以下本考案の実施の形態を図示例と共に説明する。
【００２５】
図１〜図９は本考案の実施の形態の一例を示すもので、本形態例においては、衿及び袖を有する衣料品がシャツ１である場合を例示しており、図中２は衿、３は袖、４は上前身頃、５は下前身頃、６は後身頃、７はヨーク、８は袖口のカフス、９はボタン、１０はボタン孔を夫々示している。
【００２６】
そして、図１に正面図で示す如く、このシャツ１の衿２の支持部分を成す衿腰１１の内側には、首まわりの汗を吸収し得るよう汗取りパッド１４が縫い付けられており、この汗取りパッド１４は、図２に衿腰１１の断面図を示す如く、表側をポリエステル等の撥水性の高い素材（又は撥水加工を施した素材でも可）を原料とした織物、編み物、不織布の何れかから成るメッシュ状のドライ層１２とし、裏側を高吸水性の極細繊維やアクリレート系繊維を原料とした織物、編み物、不織布の何れかから成る吸水層１３とした二層構造を有するものとなっている。
【００２７】
また、汗取りパッド１４を衿腰１１の内側に縫い付けるにあたっては、図３にドライ層１２の一部を破断して示す如く、一番目のボタン９及びボタン孔１０の配置位置となる衿腰１１の長手方向両端部を除いた範囲に衿腰１１の芯地１５の幅を超えない幅で吸水層１３を配置することが好ましい。
【００２８】
即ち、衿腰１１の表布１６よりも一回り小さな芯地１５に対し、該芯地１５より長手方向に短い吸水層１３を仕付け縫いした後、該吸水層１３を付けた芯地１５を表布１６に加熱圧着し、この表布１６と芯地１５と吸水層１３とを一体化したものを、衿腰１１の型に裁断されたドライ層１２と一緒に衿羽根１７に縫い付けて衿２を完成させるようにすると良い。
【００２９】
更に、本形態例においては、図４に正面図で、図５に袖３を持ち上げた側面図で示している通り、前記衿腰１１のものと同じ二層構造の汗取りパッド１８が腋の下にあたる部分の内側にも縫い付けてあり、この汗取りパッド１８，１８は、袖付け用の縫合線ｘを境にして二分割して縫い付けられている。
【００３０】
尚、この腋の下の部分では、特に芯地を介在させる必要がないので、図６に断面図で示す如く、ドライ層１２と吸水層１３の二層構造から成る汗取りパッド１８を表布１６の内側に直接縫い付ければ良い。
【００３１】
また、図７に斜視図で、図８に図７のカフス８を展開し且つドライ層１２の一部を破断した図で、図９に図７のカフス８を断面図で夫々示している通り、本形態例では、前記衿腰１１のものと同じ二層構造の汗取りパッド１９が袖口のカフス８の内側にも縫い付けられており、このカフス８の内側に汗取りパッド１９を縫い付けるにあたっては、一回り小さな吸水層１３を上に乗せた芯地２０を表布１６に加熱圧着し、この表布１６と芯地２０と吸水層１３とを一体化したものを、カフス８の型に裁断されたドライ層１２と重ね合わせてカフスセッターにより袋縫いするようにしている。
【００３２】
尚、以上に図１〜図９を用いて説明したシャツ１における衿腰１１、腋の下、袖口の全ての汗取りパッド１４，１８，１９は、その色を前記シャツ１の生地の色に合せたものとしてある。
【００３３】
而して、このようにシャツ１を構成すれば、首まわりに多量の汗をかいても、その汗が直ちに吸水層１３に吸収され、表面はドライ層１２によりさらっとした状態に保持されてドライ感が保持されるので、発汗による不快感が回避されて着心地の大幅な向上が図られることになる。
【００３４】
また、首まわりの汗が汗取りパッド１４の吸水層１３に吸収されることにより、衿腰１１や衿羽根１７の芯地１５への汗の吸収量が低減され、前記芯地１５に汗の油分が蓄積して生じる汗染み（衿元の色が水で潤んだような色になって他の部分の色と違って見える現象）が起こり難くなる。
【００３５】
しかも、この汗取りパッド１４は、衿腰１１に一体的に縫い付けられているので、シャツ１の着用時に不用意にずれてしまうような不具合が起こらない上、シャツ１を洗濯する際に一緒に洗い且つその後にシャツ１と一緒に干して乾燥させることにより、繰り返し何度も使用することができる。
【００３６】
更に、汗取りパッド１４を衿腰１１の内側に縫い付けるにあたり、一番目のボタン９及びボタン孔１０の配置位置となる衿腰１１の長手方向両端部を除いた範囲に衿腰１１の芯地１５の幅を超えない幅で吸水層１３を配置しているので、一番目のボタン９を縫い付けたり、ボタン孔１０をかがり縫いしたりする際の縫製加工が行い易くなると共に、一番目のボタン９をボタン孔１０に留めたり外したりする行為も行い易くなり、また、完成後の衿羽根１７の折り返し部分に厚みができなくなって見栄えも良好に保持することができる。
【００３７】
また、特に本形態例では、衿腰１１のものと同じ二層構造の汗取りパッド１８，１８を腋の下にあたる部分の内側にも縫い付けているので、発汗量の多い腋の下の汗を汗取りパッド１８，１８で吸収することができて発汗時の不快感をより一層回避することができ、更なる着心地の向上を図ることができる。
【００３８】
更に、この汗取りパッド１８，１８を袖付け用の縫合線ｘを境にして二分割して縫い付けるようにしているので、腕を動かした時の違和感が少なくなって汗取りパッド１８，１８の存在が気にならなくなる。
【００３９】
また、本形態例においては、衿腰１１のものと同じ二層構造の汗取りパッド１９を袖口の内側にも縫い付けているので、腕を流れ落ちる汗を袖口の汗取りパッド１９で吸収することができ、手荷物がある場合や筆記作業を行っているような場合に袖口より下に汗を流れ落とさないようにすることができ、発汗時に感じる不快感をより一層回避することができて更なる着心地の向上を図ることができる。
【００４０】
また、衿腰１１、腋の下、袖口の何れの汗取りパッド１４，１８，１９についても、その色をシャツ１の生地の色に合せたものとしているので、一番目のボタン９を外した時や、シャツ１の前をはだけた時、或いは、袖３をめくり上げた時等に汗取りパッド１４，１８，１９が垣間見えても、該汗取りパッド１４，１８，１９の色がシャツ１の生地の色とコーディネートされていることで見栄えを良好に保持することができる。
【００４１】
尚、本考案の衣料品は、上述の実施例にのみ限定されるものではなく、シャツ以外にポロシャツやブラウス等にも同様に適用することが可能であること、その他、本考案の要旨を逸脱しない範囲内において種々変更を加え得ることは勿論である。
【図面の簡単な説明】
【００４２】
【図１】本考案の実施の形態の一例を示す正面図である。
【図２】図１の衿腰の断面図である。
【図３】図１の衿の一部を切り欠いた展開図である。
【図４】腋の下の汗取りパッドを示す正面図である。
【図５】図４のシャツを袖を持ち上げた状態で示す側面図である。
【図６】図４の腋の下にあたる部分の断面図である。
【図７】袖口の汗取りパッドを示す斜視図である。
【図８】図７のカフスの一部を切り欠いた展開図である。
【図９】図７の袖口の断面図である。
【符号の説明】
【００４３】
１  シャツ（衣料品）
２  衿
３  袖
８  カフス
９  ボタン
１０  ボタン孔
１１  衿腰
１２  ドライ層
１３  吸水層
１４  汗取りパッド
１８  汗取りパッド
１９  汗取りパッド
ｘ  縫合線
【図１】
0003108683.tif 000003
【図２】
0003108683.tif 000004
【図３】
0003108683.tif 000005
【図４】
0003108683.tif 000006
【図５】
0003108683.tif 000007
【図６】
0003108683.tif 000008
【図７】
0003108683.tif 000009
【図８】
0003108683.tif 000010
【図９】
0003108683.tif 000011